(57)【要約】      （修正有）【課題】外側カバー筒体に、切込み状のスリットを複数個所にわたって設けて、内側カバー筒体に対し嵌挿がスムーズにできるようにする。【解決手段】取着体１に嵌挿可能な筒状嵌挿部２２の一端部と他端部に開口部８、９を有し、開口部８の内側にリングを嵌挿し、外側に上方鍔部１２を形成し、開口部９内にドライバービット４を貫通する貫通孔を有する内側鍔部１４を、外側に下方鍔部１５を有する内側カバー筒体５を形成し、内側カバー筒体５を被覆可能な内径を有し、一端部に開口部を、他端部にドライバービット４が挿入可能な出入孔を有する下方磁石体１７を嵌挿の嵌挿部付き下方開口部１９を有する外側カバー筒体６を形成し、開口部より下方開口部１９方向に切欠するスリット部２１を形成し、内側カバー筒体５に外側カバー筒体６を上下方向にスライド嵌挿し、内側カバー筒体５を取着体１に嵌挿する。【選択図】図１
0003136333.tif 000002
【実用新案登録請求の範囲】
【請求項１】
電動工具を構成するドライバービットが挿入可能にして、且上面に磁石体を付着の嵌挿孔付き取着体に嵌着する回転工具用ネジ固定具において、前記取着体に嵌挿可能な筒状嵌挿部の一端部と他端部に夫々開口部を有し、且前記一端部の開口部の内側にリングを嵌挿し、且前記一端部の開口部の外側に上方鍔部を形成し、前記他端部の開口部内に前記ドライバービットを貫通する貫通孔を有する内側鍔部を、且前記他端部の開口部の外側に下方鍔部を有する内側カバー筒体を形成し、前記内側カバー筒体を被覆可能な内径を有し、且一端部に開口部を、他端部に前記ドライバービットが挿入可能な出入孔を有する下方磁石体を嵌挿の嵌挿部付き下方開口部を有する外側カバー筒体を形成し、且前記外側カバー筒体の一端部の開口部より前記下方開口部方向に切欠するスリット部を形成し、前記内側カバー筒体に外側カバー筒体を上下方向にスライドするように嵌挿せしめ、前記内側カバー筒体を前記取着体に嵌挿することを特徴とする回転工具用ネジ固定具。
【請求項２】
前記外側カバー筒体を形成する一端部の開口部の内側面に係止段部を形成することを特徴とする請求項１記載の回転工具用ネジ固定具。
【請求項３】
フレキシブル資材製スクリュードライバーを構成するシャフトの先端部に、ドライバービットが挿入可能にして且上面に後方磁石体を付着する嵌挿孔を形成し、前記シャフトの前方端部に嵌挿可能な内径を有し、且前方端部に、前記嵌挿孔内に嵌挿するドライバービットが出入する前方嵌挿部付きの前方磁石体を嵌着し、他方後方端部に、前記シャフトに嵌挿する内径の後方嵌挿部を有する筒状嵌挿部を形成し、前記筒状嵌挿部を前記シャフトの後方部位の外周部に前記筒状嵌挿部の後方端部を離脱を防止するストッパーを形成し、前記前方磁石体と前記ストッパーとの間に、前記シャフトに捲廻するバネを嵌挿することを特徴とする回転工具用ネジ固定具。
【請求項４】
前記嵌挿孔に挿入するドライバービットの十字型刃に、ネジの頭部のプラス溝部を嵌合し、前記ネジを押し込むと、前記前方磁石体の前面部と前記ネジの頭部とが密着することを特徴とする請求項３記載の回転工具用ネジ固定具。
【請求項５】
前記筒状嵌挿部を、前記シャフトの後方部方向にスライドすると、前記嵌挿孔内に挿入している前記ドライバービットが長くなることを特徴とする請求項３又は同４記載の回転工具用ネジ固定具。
【考案の詳細な説明】
【技術分野】
【０００１】
本考案は、回転工具用ネジ固定具の分野に関するものである。
【背景技術】
【０００２】
従来、電動回転工具用の付属品として特許第３０３４５１４号特許公報が開示されている。この特許公報中、図１、２、３、４において、電動回転工具用の付属品として、止着部材６を吸着する磁石体１０を保持する保持手段４と、バネ１１を内蔵する先端部に鋼球９を出入せしめ、且上下方向にスライドする筒体３が開示されている。
【０００３】
前記特許公報に開示の止着部材６を吸着する付属品の構造は、複雑で安価にはならない。
【０００４】
さらに、従来ドライバービットとして、特開２００３−１６５０６７公開特許公報が開示されている。この特許公報の各図中に開示されている磁石部５付被嵌体４は、ビット杆１に嵌挿するのに図１に図示されているように、握持体７の方向より挿入するものである。ビット部３には、膨出部６が設けられているので、ビット部３の方向から挿入して組立て使用するものではない。
【０００５】
前記のとおり、この開示公開特許公報に図示されている磁石部５付被嵌体４は、ビット部３の膨出部６が設けられているので、握持杆７方向から嵌挿させる構造を特長としている。
【０００６】
従って、握持体７とビット杆１とを組立てた後に、前記被嵌体４を嵌挿させることができない構造である。
【０００７】
さらに、従来開示の特許第３０３４５１４号特許公報の電動回動具用の付属品を構成する電動回転具１のビット体２は、フレキシブル資材製ではなく、弾性を有していない。
【０００８】
また、従来開示の特開２００３−１６５０６７公開特許公報のドライバービットのビット杆１は、フレキシブル資材製なものではなく、弾性を有していない。
【特許文献１】特許第３０３４５１４号特許公報
【特許文献２】特開２００３−１６５０６７公開特許公報
【考案の開示】
【考案が解決しようとする課題】
【０００９】
前記開示の特許文献１の特許第３０３４５１４号特許公報の電動回転具用の付属品の外筒８は、内蔵されている発条１１と鋼球９とを圧縮したり、あるいは押圧するために、前記外筒８に切込み状のスリットを設けることは、前記の目的である発条１１と鋼球９とを圧縮したり、押圧するのに堅固であることが要求されている。
【００１０】
さらに、前記開示の特許文献２の特開２００３−１６５０６７公開特許公報のドライバービットの被嵌体４は、ビット杆１の頭部に握持体７を嵌着する以前に、予め前記ビット杆１に嵌挿させ、前記ビット１のビット部３より嵌挿させることは困難な構造である。何故ならば、前記ビット１のビット部３に膨出部６が形成されているので、前記被嵌体４を嵌挿しようとしても入りにくい構造である。
【００１１】
また、前記開示の特許文献２の公開特許公報のドライバービットの被嵌体４には、切込み状のスリットが形成されていない。
【００１２】
しかるに、本考案の回転工具用ネジ固定具は、外側カバー筒体に、切込み状のスリットを複数個所にわたって設けて、内側カバー筒体に対し嵌挿がスムーズにできるので、前記従来開示の特許文献１、２の公報の発明のものより極めて簡単にして、且容易にセットできる利点を有している。
【００１３】
さらに、本考案の回転工具用ネジ固定具は、万一損傷し、他のものと交換するにも、嵌脱が極めて容易なので、交換時の作業性も極めて良好である。
【００１４】
また、本考案の回転工具用ネジ固定具は、内側カバー筒体に嵌挿する外側カバー筒体が、前記カバー筒体に対し、上下方向に容易にスライドできるようにしたので、前記外側カバー筒体に嵌着の磁石体とネジとの磁着工程が極めてスムーズに処理できる。
【００１５】
さらに、本考案の回転工具用ネジ固定具は、折曲自在なフレキシブル資材製のスクリュードライバーを構成するシャフトの先端部に径が異なる多種類のドライバービットを嵌脱自在にすると共に、前記ドライバーが嵌挿するシャフトの外周に磁石体とバネとを内挿するネジ固定具を嵌着して、ネジ頭部と前記ドライバービットの十字型刃とを磁着して、どのような狭い個所でも自在にネジの螺入作業をスムーズにした。
【課題を解決するための手段】
【００１６】
課題を解決するための手段として、請求項１記載の考案は、ドライバービットが挿入可能にして、且上面に磁石体３を付着の嵌挿孔２付き取着体１に嵌着する回転工具用ネジ固定具aにおいて、前記取着体１に嵌挿可能な筒状嵌挿部２２の一端部と他端部に夫々開口部８、９を有し、且前記一端部の開口部８の内側にリング１１を嵌挿し、且前記一端部の開口部８の外側に上方鍔部１２を形成し、前記他端部の開口部９内に前記ドライバービット４を貫通する貫通孔１３を有する内側鍔部１４を、且前記他端部の開口部９の外側に下方鍔部１５を有する内側カバー筒体５を形成し、前記内側カバー筒体５を被覆可能な内径を有し、且一端部に開口部を、他端部に前記ドライバービット４が挿入可能な出入孔を有する下方磁石体１７を嵌挿の嵌挿部２０付き下方開口部１９を有する外側カバー筒体６を形成し、且前記外側カバー筒体６の一端部の開口部１６より前記下方開口部１９方向に切欠するスリット部２１を形成し、前記内側カバー筒体５に外側カバー筒体６を上下方向にスライドするように嵌挿せしめ、前記内側カバー筒体５を前記取着体１に嵌挿することを特徴とする回転工具用ネジ固定具である。
【００１７】
課題を解決するための手段として、請求項２記載の考案は、前記外側カバー筒体６を形成する一端部の開口部１６の内側面に係止段部２２を形成することを特徴とする請求項１記載の回転工具用ネジ固定具である。
【００１８】
課題を解決するための手段として、請求項３記載の考案は、フレキシブル資材製スクリュードライバー２５を構成するシャフト２６の先端部に、ドライバービット４が挿入可能にして且上面に後方磁石体を付着する嵌挿孔３２を形成し、前記シャフト２０の前方端部に嵌挿可能な内径を有し、且前方端部に、前記嵌挿孔３２内に嵌挿するドライバービット４が出入する前方嵌挿部付きの前方磁石体３５を嵌着し、他方後方端部に、前記シャフト２６に嵌挿する内径の後方嵌挿部３８を有する筒状嵌挿部３４を形成し、前記筒状嵌挿部３４を前記シャフト２６の後方部位の外周部に前記筒状嵌挿部３４の後方端部を離脱を防止するストッパー３９を形成し、前記前方磁石体３５と前記ストッパー３９との間に、前記シャフト２６に捲廻するバネ４０を嵌挿することを特徴とする回転工具用ネジ固定具ｂである。
【００１９】
課題を解決するための手段として、請求項４記載の考案は、前記嵌挿孔３２に挿入するドライバービット４の十字型刃４ａに、ネジ４１の頭部４１ａのプラス溝部を嵌合し、前記ネジ４１を押し込むと、前記前方磁石体３５の前面部と前記ネジ４１の頭部４１ａとが密着することを特徴とする請求項３記載の回転工具用ネジ固定具ｂである。
【００２０】
課題を解決するための手段として、請求項５記載の考案は、前記筒状嵌挿部３４を、前記シャフト２６の後方部方向にスライドすると、前記嵌挿孔３２内に挿入している前記ドライバービット４が長くなることを特徴とする請求項３又は同４記載の回転工具用ネジ固定具である。
【考案の効果】
【００２１】
請求項１記載の考案は、ドライバービットが挿入可能にして、且上面に磁石体を付着の嵌挿孔付き取着体に嵌着有する回転工具用ネジ固定具において、前記取着体に嵌挿可能な筒状嵌挿部の一端部と他端部に夫々開口部を有し、且前記一端部の開口部の内側にリングを嵌挿し、且前記一端部の開口部の外側に上方鍔部を形成し、前記他端部の開口部内に前記ドライバービットを貫通する貫通孔を有する内側鍔部を、且前記他端部の開口部の外側に下方鍔部を有する内側カバー筒体を形成し、前記内側カバー筒体を被覆可能な内径を有し、且一端部に開口部を、他端部に前記ドライバービットが挿入可能な出入孔を有する下方磁石体を嵌挿の嵌挿部付き下方開口部を有する外側カバー筒体を形成し、且前記外側カバー筒体の一端部の開口部より前記下方開口部方向に切欠するスリット部を形成し、前記内側カバー筒体に外側カバー筒体を上下方向にスライドするように嵌挿せしめ、前記内側カバー筒体を前記取着体に嵌挿する回転工具用ネジ固定具なので、外側カバー筒体のスリット部によって、内側カバー筒体への嵌着がスムーズにできる利点を有している。
【００２２】
さらに前記請求項１記載の回転工具用ネジ固定具は、内側カバー筒体の開口部の内側にリングを嵌挿したので、前記取着体に対する嵌着位置を確実に保持できる利点を有している。
【００２３】
請求項２記載の考案は、前記外側カバー筒体を形成する一端部の開口部の内側面に係止段部を形成する回転工具用ネジ固定具なので、前記係止段部が前記内側カバー筒体の下方鍔部に係止し落下して離脱するのを防止する利点を有している。
【００２４】
請求項３記載の考案は、フレキシブル資材製スクリュードライバーを構成するシャフトの先端部に、ドライバービットが挿入可能にして且上面に後方磁石体を付着する嵌挿孔を形成し、前記シャフトの前方端部に嵌挿可能な内径を有し、且前方端部に、前記嵌挿孔内に嵌挿するドライバービットが出入する前方嵌挿部付きの前方磁石体を嵌着し、他方後方端部に、前記シャフトに嵌挿する内径の後方嵌挿部を有する筒状嵌挿部を形成し、前記筒状嵌挿部を前記シャフトの後方部位の外周部に前記筒状嵌挿部の後方端部を離脱を防止するストッパーを形成し、前記前方磁石体と前記ストッパーとの間に、前記シャフトに捲廻するバネを嵌挿する回転工具用ネジ固定具なので、ネジを前記ドライバービットの十字型刃に確実に嵌着して、狭い個所等でも前記ネジの螺着作業をスムーズに処理できる利点を有している。
【００２５】
請求項４記載の考案は、前記嵌挿孔に挿入するドライバービットの十字型刃に、ネジの頭部のプラス溝部を嵌合し、前記ネジを押し込むと、前記前方定規体の前面部と前記ネジに頭部とが密着する回転工具用ネジ固定具なので、前記請求項３記載の考案と同じ効果を有している。
【００２６】
請求項５記載の考案は、前記筒状嵌挿部を、前記シャフトの後方部方向にスライドすると、前記嵌挿孔内に挿入している前記ドライバービットが長くなる回転工具用ネジ固定具なので、前記請求項３又は同４記載の考案と同じ効果を有している。
【考案を実施するための最良の形態】
【００２７】
本考案の請求項１〜２記載の考案に関する実施の形態は共通しているので、以下のとおり一括して説明する。
【００２８】
図において、ａは本考案の回転工具用ネジ固定具であり、以下の構成からなっている。
【００２９】
前記回転工具用ネジ固定具ａは、十字型刃４ａ付きドライバービット４が嵌挿可能にして、且上面に磁石体３を付着の嵌挿孔２を有する取着体１に嵌め込み使用するものである。
【００３０】
ａはネジ固定具であり、以下の構成からなっている。
【００３１】
この実施例のネジ固定具ａは、以下に説明する内側カバー筒体５と、外側カバー筒体６とからなっている。
【００３２】
前記内側カバー筒体５の実施の形態について説明する。
【００３３】
このネジ固定具ａは、一端部にドライバービット４が挿入可能にして、且上面に磁石体３を付着する嵌挿孔２付き取着体１を使用する。
【００３４】
前記の構成部材を前提にして、前記内側カバー筒体５の実施の形態を説明すると、前記取着体１に嵌挿可能な筒状嵌挿部２２の一端部と他端部に、夫々開口部８、９を形成する。
【００３５】
そして、前記一端部の開口部８の内側に形成の凹部１０内に、リング１１を嵌挿する。
【００３６】
さらに、前記一端部の開口部８の外側に上方鍔部１２を形成する。そして、この鍔部１２の外側に凹部１０を設けリング１１を嵌めてもよい。
【００３７】
他方他端部の開口部９に前記ドライバービット４が貫通する貫通孔１３を有する内側鍔部１４を形成し、さらに前記他端部の開口部９の外側に下方鍔部１５を形成する。
【００３８】
以上の構成が内側カバー筒体５の構成である。
【００３９】
つぎに、前記外側カバー筒体６につき説明する。
【００４０】
この外側カバー筒体６は、前記カバー筒体６は、前記内側カバー筒体５を被覆可能な内径を有し、且一端部に開口部１６を、他端部に前記ドライバービット４が挿入可能な出入孔１８を有する下方磁石体１７を嵌挿する嵌挿部２０を有する下方開口部１９を形成する。
【００４１】
前記外側カバー筒体６の一端部の開口部１６より前記下方開口部１９方向に切欠するスリット部２１を形成する。
【００４２】
そして、前記取着体１に前記内側カバー筒体５を嵌挿後、前記内側カバー筒体５に外側カバー筒体６を上下方向にスライドするように嵌挿せしめる。
【００４３】
さらに、前記外側カバー筒体６を形成する一端部の開口部８の内側面に係止段部２２を形成する。
【００４４】
前記ドライバービット４は、前記取着体１の貫通孔２に挿入すると、前記ドライバービット４は、磁石体３によって吸着されている。
【００４５】
前記内側カバー筒体５に前記内側カバー筒体５を、前記外側カバー筒体６の一方の開口部１６より嵌挿すると、前記スリット部２１の作用によって若干開いて、前記内側カバー筒体５の上方鍔部１２の方向に、前記外側カバー筒体６の一方の開口部１６の端面がスライドして嵌込まれる。
【００４６】
さらに、前記外側カバー筒体６は、下方にスライドすると、下方鍔部１５の上方段部１５ａによって、前記外側カバー筒体６の一方の開口部１６より若干下方の内側方に突出する係止部１６ａによって係止するか、もしくはその直前にて前記外側カバー筒体６の下方へのスライドを阻止する。前記ネジｎを下方磁石体１７が磁着する。そのとき前記ドライバービット４の先端部の十字型刃４ａが前記ネジｎの十字溝内に嵌込んでいる。
【００４７】
さらに、前記内側カバー筒体５の一方の開口部８の内側に、リング１１が取着されているので、取着体１の外周の所定位置に確実にストップしている。従って、前記内側カバー筒体５が不意に上下方向にスライドしない。
【００４８】
さらに、請求項３〜５記載の考案に関する実施の形態を以下のとおり一括して説明する。
【００４９】
前記請求項３〜５記載の考案の回転工具用ネジ固定具ｂは、前記回転工具用ネジ固定具ａと、構成が若干異なっている。
【００５０】
前記回転工具用ネジ固定具ｂはフレキシブル資材製のスクリュードライバー２５を構成するシャフト２６の端部に嵌着するものである。
【００５１】
２７は弾性を有するフレキシブルなコイルスプリングシャフト２８等を内側部にして、前記コイルスプリングシャフトを被覆するフレキシブルシャフトである。
【００５２】
前記フレキシブルシャフト２７の後方端部は、後方支持部２９によって支持され、前方端部は、回転自在なカラー部３０によって支持されている。
【００５３】
さらに、前記コイルスプリングシャフト２８の後方部は、前記後方支持部２９内を貫通し前記後方支持部２９より外側方に飛出するシャンク３０に接続する。
【００５４】
また、前記コイルスプリングシャフト２８の前方部は、前記カラー部３０内を貫通し、前記カラー部３０の前方に飛出するシャフト２６を接続する。
【００５５】
そして、前記シャフト２６の先端部には、ドライバービット４が挿入可能な嵌挿孔３２を形成する。前記嵌挿孔３２には、後方磁石体３３を付着する。前記嵌挿孔３２は、前記ドライバービット４が多角形状のため内側は同じく角形状をしている。
【００５６】
前記嵌挿孔３２の長さは、前記ドライバービット４の長さよりも短く形成する。
【００５７】
３４は前記シャフト２６の前方端部に嵌挿可能な内径を有する筒状嵌挿部であり、以下の構成からなっている。
【００５８】
前記筒状嵌挿部３４は、前記シャフト２６の前方端部に嵌挿可能な内径を有し、且前方端部に、前記嵌挿孔３２内に嵌挿するドライバービット４が出入する前方嵌挿部３６付きの前方磁石体３５を嵌挿し、他方後方端部３７に、前記シャフト２６に嵌挿する内径の後方嵌挿部３８をもって構成する。
【００５９】
３９は、前記シャフト２６の後方部位の外周部に、前記筒状嵌挿部３４の後方端部の離脱を防止するためのストッパーである。
【００６０】
４０は、前記前方磁石体３５と前記ストッパー３９との間に介在する前記シャフト２６に捲廻のバネである。
【００６１】
前記バネ４０は、前記筒状嵌挿部３４を常時前記シャフト２６の先端方向に押し出す役目をしている。
【００６２】
４１は木ネジであり、前記木ネジ４の十形状溝部が前記ドライバービット４の十字型刃４ａと嵌合する。前記の嵌合時に、前記木ネジ４１の頭部４１ａと前記前方磁石体３５に密着する。
【００６３】
前記のとおり、木ネジ４１が、前記木ネジ４１の頭部と、前記前方磁石体３５の強固な密着によって、前記木ネジ４１は離脱しない。そのため、前記木ネジ４１の所定個所への嵌挿作業をスムーズにできる。
【００６４】
さらに、前記ドライバービット４を前記嵌挿孔３２より離脱するには、前記筒状嵌挿孔３２より離脱するには、前記筒状嵌挿部３４を後方に押し込むと、前記バネ４０が押圧されて、前記ドライバービット４の飛出部分が長くなる。そして、前記後方磁石体３３に磁着の前記ドライバービット４の十字型刃４ａ部分を手指でつかみ取出してやる。
【図面の簡単な説明】
【００６５】
【図１】本考案回転工具用ネジ固定具の分解斜視図である。
【００６６】
【図２】同ネジ固定具の組立てた状態を示す斜視図である。
【００６７】
【図３】同ネジ固定具を示する一部切欠拡大縦断正面図である。
【００６８】
【図４】図３のネジ固定具にネジを磁着した状態の一部切欠拡大縦断正面図である。
【００６９】
【図５】同ネジ固定具からネジを離脱した状態の一部切欠拡大縦断正面図である。
【００７０】
【図６】同ネジ固定具の第２実施例を示す取着体からネジ固定具を離脱した状態の一部切欠拡大縦断正面図である。
【００７１】
【図７】図６のネジ固定具を取着体に嵌着した状態の一部切欠拡大縦断正面図である。
【００７２】
【図８】同ネジ固定具をドライバービットのビット杆に取着せしめた状態の一部切欠拡大縦断正面図である。
【００７３】
【図９】本考案回転工具用ネジ固定具の第２実施例の一部切欠拡大縦断正面図である。
【００７４】
【図１０】図９の図示状態から木ネジを離脱したときの一部切欠拡大縦断正面図である。
【００７５】
【図１１】図９のネジ固定具を取着した回転工具の一部切欠正面図である。
【符号の説明】
【００７６】
ａ      回転工具用ネジ固定具
ｂ      ネジ固定具
ｎ      ネジ
１      取着体
２      嵌挿孔
３      磁石体
４      ドライバービット
４ａ    十字型刃
５      内側カバー筒体
６      外側カバー筒体
７      筒状嵌挿部
８      開口部
９      開口部
１０    凹部
１１    リング
１１ａ  リング
１２    上方鍔部
１２ａ  凹部
１３    貫通孔
１４    内側鍔部
１５    下方鍔部
１６    開口部
１７    下方磁石体
１８    出入孔
１９    下方開口部
２０    嵌挿部
２１    スリット部
２２    係止段部
２３    シャンク
２５    スクリュードライバー
２６    シャフト
２７    フレキシブルシャフト
２８    コイルスプリング
２９    後方支持部
３０    シャンク
３２    嵌挿孔
３３    後方磁石体
３４    筒状嵌挿部
３５    前方磁石体
３６    前方嵌挿部
３７    後方端部
３８    後方嵌挿部
３９    ストッパー
４０    バネ
４１    ネジ
【図１】
0003136333.tif 000003
【図２】
0003136333.tif 000004
【図３】
0003136333.tif 000005
【図４】
0003136333.tif 000006
【図５】
0003136333.tif 000007
【図６】
0003136333.tif 000008
【図７】
0003136333.tif 000009
【図８】
0003136333.tif 000010
【図９】
0003136333.tif 000011
【図１０】
0003136333.tif 000012
【図１１】
0003136333.tif 000013